(57)【要約】【課題】ディスプレイの円滑な折曲動作を確保しつつ、ノイズシールド構造を備えることができる携帯用情報機器を提供する。【解決手段】携帯用情報機器１０は、第１筐体部材１２Ａと、第１筐体部材１２Ａと折り畳み可能に連結された第２筐体部材１２Ｂと、第１筐体部材１２Ａと第２筐体部１２Ｂ材の内面間に亘るように設けられ、折り畳み可能且つタッチパネル２１が積層されたディスプレイ１６と、ディスプレイ１６の裏面に固定されたシート状部材２０と、を備える。シート状部材２０は、少なくともディスプレイ１６の折曲部１６ｂと重なる部分に、複数の孔部３２ａが形成された第１層部３０と、第１層部３０の全面を覆い、第１層部３０よりも薄い導体で形成され、少なくともタッチパネル２１の配線領域２１ａと重なる位置に孔部のない第２層部３１と、を有する。【選択図】図５Ｂ
2020201698.tif 000002
【特許請求の範囲】
【請求項１】
携帯用情報機器であって、
第１筐体部材と、
前記第１筐体部材と折り畳み可能に連結された第２筐体部材と、
前記第１筐体部材と前記第２筐体部材の内面間に亘るように設けられ、折り畳み可能且つタッチパネルが積層されたディスプレイと、
前記ディスプレイの裏面に固定されたシート状部材と、
を備え、
前記シート状部材は、
少なくとも前記ディスプレイの折曲部と重なる部分に複数の孔部が形成された第１層部と、
前記第１層部の全面を覆い、前記第１層部よりも薄い導体で形成され、少なくとも前記タッチパネルの配線領域と重なる位置に孔部のない第２層部と、
を有することを特徴とする携帯用情報機器。
【請求項２】
請求項１に記載の携帯用情報機器であって、
前記複数の前記孔部は前記第１層部全体に形成されていることを特徴とする携帯用情報機器。
【請求項３】
請求項１又は２に記載の携帯用情報機器であって、
前記シート状部材は、前記第２層部の上面が前記ディスプレイの裏面に固定され、前記第２層部の下面側に前記第１層部が配置されていることを特徴とする携帯用情報機器。
【請求項４】
請求項１〜３のいずれか１項に記載の携帯用情報機器であって、
前記孔部の内径は、０．５ｍｍ以下であることを特徴とする携帯用情報機器。
【請求項５】
請求項１〜４のいずれか１項に記載の携帯用情報機器であって、
前記シート状部材は、前記第１層部を形成する第１シートと、前記第２層部を形成する第２シートと、を積層した構成であることを特徴とする携帯用情報機器。
【請求項６】
請求項５に記載の携帯用情報機器であって、
前記第１シートは、ステンレスシート又はアルミニウムシートであり、
前記第２シートは、ステンレスシート、アルミニウムシート、銅シート又はカーボンシートであることを特徴とする携帯用情報機器。
【請求項７】
請求項１〜４のいずれか１項に記載の携帯用情報機器であって、
前記シート状部材は、１枚のシートで構成されており、
前記シートは、一面に複数の凹部が形成されることで前記第１層部が形成され、前記一面の裏側の他面が前記第２層部を構成していることを特徴とする携帯用情報機器。
【発明の詳細な説明】
【技術分野】
【０００１】
本発明は、折り畳み可能な携帯用情報機器に関する。
【背景技術】
【０００２】
近年、タッチパネル式の液晶ディスプレイを有し、物理的なキーボードを持たないタブレット型ＰＣやスマートフォン等の携帯用情報機器が急速に普及している。この種の携帯用情報機器のディスプレイは、使用時には大きい方が望ましい反面、携帯時には小型化されることが望まれている。そこで、有機ＥＬ（Ｅｌｅｃｔｒｏ  Ｌｕｍｉｎｅｓｃｅｎｃｅ）等のフレキシブルディスプレイを用いることで、筐体だけでなくディスプレイまでも折り畳み可能に構成した携帯用情報機器が提案されている（例えば、特許文献１参照）。
【先行技術文献】
【特許文献】
【０００３】
【特許文献１】特開２０１８−１１２８３３号公報
【発明の概要】
【発明が解決しようとする課題】
【０００４】
折り畳みされるディスプレイは、繰り返しの折曲動作に耐えることができる必要があるため、設計時の所望の曲率半径で折曲動作される必要がある。また、タッチパネル式のディスプレイは、デジタイザペンや指先による正確なタッチ操作を可能とするため、筐体内に搭載された他の電子部品の電磁ノイズからシールドされている必要がある。従って、折り畳みされるタッチパネル式のフレキシブルディスプレイは、ディスプレイの円滑な折曲動作と、ノイズシールド構造とが両立されている必要がある。
【０００５】
本発明は、上記従来技術の課題を考慮してなされたものであり、ディスプレイの円滑な折曲動作を確保しつつ、ノイズシールド構造を備えることができる携帯用情報機器を提供することを目的とする。
【課題を解決するための手段】
【０００６】
本発明の第１態様に係る携帯用情報機器は、携帯用情報機器であって、第１筐体部材と、前記第１筐体部材と折り畳み可能に連結された第２筐体部材と、前記第１筐体部材と前記第２筐体部材の内面間に亘るように設けられ、折り畳み可能且つタッチパネルが積層されたディスプレイと、前記ディスプレイの裏面に固定されたシート状部材と、を備え、前記シート状部材は、少なくとも前記ディスプレイの折曲部と重なる部分に複数の孔部が形成された第１層部と、前記第１層部の全面を覆い、前記第１層部よりも薄い導体で形成され、少なくとも前記タッチパネルの配線領域と重なる位置に孔部のない第２層部と、を有する。
【０００７】
このような構成によれば、第１層部と、これより薄く且つ導体の第２層部とを有するシート状部材によってディスプレイが支持されている。このため、シート状部材は、厚みのある第１層部が折曲部で均等な円弧形状に折り曲げられることで、ディスプレイの折曲部を設計時の所望の曲率半径で折曲動作させることができる。また、第１層部は、複数の孔部を有するため、折曲動作に要する外力が過度に大きくなることがなく、重量の増加も抑制できる。しかも、当該携帯用情報機器は、薄い導体で形成された少なくともタッチパネルの配線領域と重なる位置に孔部のない第２層部が第１層部を覆っている。このため、筐体内部に収容された電子部品からの電磁ノイズがディスプレイのタッチパネルに影響することを抑制できる。
【０００８】
前記複数の前記孔部は前記第１層部全体に形成されていてもよい。そうすると、シート状部材を折り曲げた際の円弧形状を第１層部全体で一層均等な形状にすることができる。さらにシート状部材が一層軽量化される。
【０００９】
前記シート状部材は、前記第２層部の上面が前記ディスプレイの裏面に固定され、前記第２層部の下面側に前記第１層部が配置された構成としてもよい。そうすると、第１層部の孔部がディスプレイの表面に浮き出るような不具合の発生を抑制できる。
【００１０】
前記孔部の内径は、０．５ｍｍ以下であるとよい。そうすると、孔部が、ディスプレイの表面に浮き出るような不具合の発生を一層確実に抑制できる。また、孔部の内径が０．５ｍｍ以下であると、タッチ操作に用いる一般的なペン入力装置のペン先の外径よりも確実に小さくできる。このため、万一、孔部がディスプレイの表面に浮き出た場合であっても、ペン入力装置のペン先が孔部による段差に引っ掛かることを抑制できる。
【００１１】
前記シート状部材は、前記第１層部を形成する第１シートと、前記第２層部を形成する第２シートと、を積層した構成であってもよい。
【００１２】
前記第１シートは、ステンレスシート又はアルミニウムシートであり、前記第２シートは、ステンレスシート、アルミニウムシート、銅シート又はカーボンシートであってもよい。
【００１３】
前記シート状部材は、１枚のシートで構成されており、前記シートは、一面に複数の凹部が形成されることで前記第１層部が形成され、前記一面の裏側の他面が前記第２層部を構成したものであってもよい。
【発明の効果】
【００１４】
本発明の上記態様によれば、ディスプレイでの不具合の発生を抑制することができる。
【図面の簡単な説明】
【００１５】
【図１】図１は、一実施形態に係る携帯用情報機器を閉じて収納形態とした状態を示す斜視図である。
【図２】図２は、図１に示す携帯用情報機器を開いて使用形態とした状態を模式的に示す斜視図である。
【図３】図３は、図２に示す携帯用情報機器の内部構造を模式的に示す側面断面図である。
【図４】図４は、シート状部材の構成を模式的に示す分解斜視図である。
【図５Ａ】図５Ａは、使用形態でのシート状部材及びその周辺部の構成を模式的に示す側面断面図である。
【図５Ｂ】図５Ｂは、収納形態でのシート状部材及びその周辺部の構成を模式的に示す側面断面図である。
【図６】図６は、薄いシートを単独で折り曲げた際の折曲部の形状を模式的に示す側面図である。
【図７】図７は、ある程度の厚みを持ったシートを単独で折り曲げた際の折曲部の形状を模式的に示す側面図である。
【図８】図８は、第１変形例に係るシート状部材の側面断面図である。
【図９】図９は、第２変形例に係るシート状部材の側面断面図である。
【発明を実施するための形態】
【００１６】
以下、本発明に係る携帯用情報機器について好適な実施形態を挙げ、添付の図面を参照しながら詳細に説明する。
【００１７】
図１は、一実施形態に係る携帯用情報機器１０を閉じて収納形態とした状態を示す斜視図である。図２は、図１に示す携帯用情報機器１０を開いて使用形態とした状態を模式的に示す斜視図である。図３は、図２に示す携帯用情報機器１０の内部構造を模式的に示す側面断面図である。
【００１８】
図１及び図２に示すように、携帯用情報機器１０は、第１筐体部材１２Ａ及び第２筐体部材１２Ｂと、背表紙部材１４と、ディスプレイ１６とを備える。本実施形態では、携帯用情報機器１０として本のように折り畳み可能なタブレット型ＰＣを例示する。携帯用情報機器１０は携帯電話、スマートフォン、電子手帳又は携帯用ゲーム機等であってもよい。
【００１９】
各筐体部材１２Ａ，１２Ｂは、それぞれ背表紙部材１４に対応する辺以外の３辺に側壁を起立形成した矩形の板状部材である。各筐体部材１２Ａ，１２Ｂは、例えばステンレスやマグネシウム、アルミニウム等の金属板、或いは炭素繊維等の強化繊維を含む繊維強化樹脂板等で構成される。ディスプレイ１６は、筐体部材１２Ａ，１２Ｂの内面１２Ａｃ，１２Ｂｃ間に亘るように設けられている。ディスプレイ１６は、内面１２Ａｃ，１２Ｂｃに対して、第１支持プレート１８Ａ及び第２支持プレート１８Ｂと、シート状部材２０とを用いて支持されている。
【００２０】
筐体部材１２Ａ，１２Ｂは、互いに隣接して配置されている。筐体部材１２Ａ，１２Ｂ間は、互いの隣接縁部である一縁部１２Ａａ，１２Ｂａの両端部に設けられた一対のヒンジ機構１９，１９を介して連結されている。ヒンジ機構１９は、筐体部材１２Ａ，１２Ｂ間を図１に示す収納形態と図２に示す使用形態とに折り畳み可能に連結している。図３中に１点鎖線で示す線Ｃは、筐体部材１２Ａ，１２Ｂの折り畳み動作の中心となる折曲中心Ｃを示している。各筐体部材１２Ａ，１２Ｂは、背表紙部材１４側の一縁部１２Ａａ，１２Ｂａがヒンジ側端部となる。各筐体部材１２Ａ，１２Ｂは、背表紙部材１４側とは反対側の他縁部１２Ａｂ，１２Ｂｂが開放端部となる。
【００２１】
ヒンジ機構１９は、例えば各筐体部材１２Ａ，１２Ｂの一縁部１２Ａａ，１２Ｂａの長手方向（Ｙ方向）両端部のそれぞれに配置され、ディスプレイ１６の外周縁部の外側に位置している。本実施形態の携帯用情報機器１０は、ヒンジ機構１９による筐体部材１２Ａ，１２Ｂ間の回動中心がディスプレイ１６の表面１６ｃと一致した構成となっている。
【００２２】
以下、図１及び図２に示すように、携帯用情報機器１０について、中央の背表紙部材１４から他縁部１２Ａｂ，１２Ｂｂに向かう方向をＸ方向、背表紙部材１４の長手方向に沿う方向をＹ方向と呼んで説明する。
【００２３】
ディスプレイ１６は、例えばタッチパネル式の液晶ディスプレイである。図３に示すように、タッチパネル２１は、例えばデジタイザペン等のペン入力装置２２によるタッチ操作と、人の指先によるタッチ操作とに対応している静電容量方式である。ディスプレイ１６は、例えば柔軟性の高いペーパー構造を持った有機ＥＬ等のフレキシブルディスプレイである。これによりディスプレイ１６は、筐体部材１２Ａ，１２Ｂの開閉動作に伴って開閉する。ディスプレイ１６は、その表面１６ｃの外周縁部にベゼル部材２３が配設される。ベゼル部材２３は、ディスプレイ１６の表面の表示領域（アクティブ領域）Ｒ１を除く外周縁部の非表示領域（非アクティブ領域）Ｒ２を覆っている。タッチパネル２１は、タッチ操作の有効領域はディスプレイ１６の表示領域Ｒ１と同一範囲に形成され、表示領域Ｒ１の外周部分の非表示領域Ｒ２と重なる位置に、例えば５ｍｍ程度の幅を持った配線領域２１ａを有する（図２及び図３参照）。
【００２４】
ディスプレイ１６は、例えば図３に示すように支持プレート１８Ａ，１８Ｂの外周端面に突設された取付片２４を介して筐体部材１２Ａ，１２Ｂに位置決め固定される。取付片２４は、支持プレート１８Ａ，１８Ｂの隣接する一縁部１８Ａａ，１８Ｂａ以外の外周縁部の適宜箇所に複数設けられている。取付片２４は、例えば内面１２Ａｃ，１２Ｂｃに設けられたボス部２５に対してねじ止めされる。これにより各支持プレート１８Ａ，１８Ｂは、それぞれ各筐体部材１２Ａ，１２Ｂの内面１２Ａｃ，内面１２Ｂｃに取り付けられる。
【００２５】
各筐体部材１２Ａ，１２Ｂと支持プレート１８Ａ，１８Ｂとに挟まれた筐体内部空間には、基板、ＣＰＵ等の各種半導体チップ、通信モジュール、バッテリ装置、冷却装置等の各種部品が取付固定されている。図３中の参照符号２６は、ディスプレイ１６の制御基板（コントロールボード）である。図３中の参照符号２７は、ディスプレイ１６のタッチパネルの制御基板（タッチＩＣ）である。これら制御基板２６，２７は、図３中に破線で示すフレキシブル基板２８を介してディスプレイ１６と接続されている。
【００２６】
背表紙部材１４は、可撓性を持った薄い板状部材で形成され、携帯用情報機器１０を折り畳んだ際の背表紙となる。背表紙部材１４は一縁部１２Ａａ，１２Ｂａ間を内側から覆うように筐体部材１２Ａ，１２Ｂ間に亘って設けられている。図１に示すように、携帯用情報機器１０は、収納形態では、筐体部材１２Ａ，１２Ｂの一縁部１２Ａａ，１２Ｂａ間が大きく離間して隙間を生じる。背表紙部材１４は、この一縁部１２Ａａ，１２Ｂａ間の隙間を覆うことで、内部のディスプレイ１６や各種部品が露呈することを防止している。
【００２７】
次に、支持プレート１８Ａ，１８Ｂの構成例を説明する。図３に示すように、各支持プレート１８Ａ，１８Ｂは、薄いプレート状部材である。支持プレート１８Ａ，１８Ｂは、その上面１８Ａｂ，１８Ｂｂでシート状部材２０を介してディスプレイ１６を支持している。各支持プレート１８Ａ，１８Ｂは、それぞれ各筐体部材１２Ａ，１２Ｂに支持され、折曲中心Ｃを中心として本のように開閉される。
【００２８】
支持プレート１８Ａ，１８Ｂは、例えばステンレス、マグネシウム、アルミニウム等の金属板、或いは炭素繊維等の強化繊維を熱硬化性樹脂や熱可塑性樹脂からなるマトリクス樹脂に含浸させた繊維強化樹脂板等で構成される。支持プレート１８Ａ，１８Ｂは、使用形態では、隣接する一縁部１８Ａａ，１８Ｂａ同士が当接する（図５Ａ参照）。支持プレート１８Ａ，１８Ｂは、収納形態では、一縁部１８Ａａ，１８Ｂａ同士が離間する（図５Ｂ参照）。
【００２９】
次に、シート状部材２０の構成例を説明する。図３に示すように、シート状部材２０は、ディスプレイ１６の裏面１６ａと、支持プレート１８Ａ，１８Ｂの上面１８Ａｂ，１８Ｂｂとの間に挟まれている。シート状部材２０は、上面２０ａの全域がディスプレイ１６の裏面１６ａと固着される。シート状部材２０は、下面２０ｂの大部分が支持プレート１８Ａ，１８Ｂの表面１８Ａｃ，１８Ｂｃと固着される。シート状部材２０の下面２０ｂは、ディスプレイ１６の折曲部１６ｂ（図３参照）に対応する帯状の領域（折曲部２０ｃ）だけは表面１８Ａｃ，１８Ｂｃに固着されず、移動可能な状態にある（図５Ｂ参照）。
【００３０】
図４は、シート状部材２０の構成を模式的に示す分解斜視図である。図５Ａは、使用形態でのシート状部材２０及びその周辺部の構成を模式的に示す側面断面図である。図５Ｂは、収納形態でのシート状部材２０及びその周辺部の構成を模式的に示す側面断面図である。図４及び図５に示すように、シート状部材２０は、第１層部３０と、第２層部３１とを有し、可撓性を有する。
【００３１】
第１層部３０は、複数の孔部３２ａが形成された第１シート３２で構成されている。第１シート３２は、例えばステンレスシートやアルミニウムシート等の金属シートである。本実施形態の第１シート３２は、例えばオーステナイト系ステンレスであるＳＵＳ３０１やＳＵＳ３０４で形成されている。第１シート３２の板厚は、例えば１５０μｍ程度である。孔部３２ａの内径は、少なくとも当該携帯用情報機器１０に使用するペン入力装置２２のペン先の外径（例えば１ｍｍ程度）よりも小さいことが好ましい。そこで、本実施形態の場合、孔部３２ａの内径は、例えば０．５ｍｍ以下、好ましくは０．２ｍｍ又は０．３ｍｍに設定されている。本実施形態の第１シート３２は、その全域に孔部３２ａが貫通形成されたパンチングメタルシートやメッシュシート等で構成されている。孔部３２ａは、第１シート３２の全域に設けられていなくてもよいが、少なくとも折曲部２０ｃに設けられていることが好ましい。孔部３２ａの断面形状は、円形の他、矩形や多角形等でもよい。
【００３２】
第２層部３１は、第２シート３３で構成されている。第２シート３３は、例えばステンレスシート、アルミニウムシート又は銅シート等の金属シート、或いはカーボンシート等の導体で構成される。カーボンシートは、例えば炭素繊維を熱硬化性樹脂や熱可塑性樹脂からなるマトリクス樹脂に含浸させた炭素繊維強化樹脂シートである。本実施形態の第２シート３３は、例えばＳＵＳ３０１やＳＵＳ３０４で形成されている。第２シート３３の板厚は、第１シート３２の板厚よりも小さく、例えば３０μｍ程度である。
【００３３】
シート状部材２０は、第１シート３２と第２シート３３とを貼り合わせることで、第１層部３０と第２層部３１とが形成されている。第１シート３２と第２シート３３とは、例えば接着剤或いは両面テープ等によって互いの対向面の全域が接着固定される。これによりシート状部材２０は、第１層部３０よりも薄い導体で構成され、少なくともタッチ操作の有効領域と重なる位置に孔部のない第２層部３１によって第１層部３０の孔部３２ａの上面２０ａ側の開口が塞がれている。すなわち第２層部３１は、第１層部３０で遮断できなかったノイズがタッチパネル２１に影響を及ぼすことを防止する必要がある。このため、第２層部３１は、少なくともタッチパネル２１のタッチ操作面及びその配線領域２１ａと重なる位置には孔部のない構成となっている。
【００３４】
図５Ａ及び図５Ｂに示すように、シート状部材２０は、第２層部３１（第２シート３３）がディスプレイ１６の裏面１６ａに固定される。さらにシート状部材２０は、第１層部３０（第１シート３２）が支持プレート１８Ａ，１８Ｂの上面１８Ａｂ，１８Ｂｂに固定される。第２層部３１とディスプレイ１６とは、例えば接着剤或いは両面テープ等で接着固定される。第１層部３０と支持プレート１８Ａ，１８Ｂとは、例えば接着剤或いは両面テープ等で接着固定される。上記した通り、第１層部３０の下面２０ｂは、折曲部２０ｃに対応する部分が支持プレート１８Ａ，１８Ｂに固定されず、互いに接離可能な状態にある（図５Ｂ参照）。
【００３５】
シート状部材２０は、第１層部３０と第２層部３１の配置を入れ替えてもよい。但し、この構成では、孔部３２ａを有する第１層部３０がディスプレイ１６の直下に配置される。その結果、孔部３２ａの大きさやディスプレイ１６の構造によっては、次の２つの不具合を生じる懸念がある。すなわち、第１に、孔部３２ａの縁部による凹凸形状がディスプレイ１６の表面１６ｃに浮かび上がってしまう不具合を生じる懸念がある。第２に、ディスプレイ１６の表面１６ｃに浮き上がった凹凸形状に、ペン入力装置２２や指先が引っ掛かる不具合を生じる懸念もある。このため、本実施形態のシート状部材２０は、図３に示すようにディスプレイ１６の直下に第２層部３１を配置した構成としている。
【００３６】
次に、シート状部材２０が第１層部３０及び第２層部３１を有することによる作用効果を説明する。
【００３７】
先ず、図６に示すように、シート状部材２０が、薄い第２シート３３と同一のシート３３Ａのみで構成されている場合を考える。この場合、シート３３Ａの折曲部２０ｃは、頂点Ｐ１の曲率半径がディスプレイ１６の設計曲率反半径よりも小さくなる。薄いシート３３Ａは、その折曲時の反力が微小であるため、折り曲げた際、図６に示すように頂点Ｐ１で屈曲されたような形状となるためである。このため、ディスプレイ１６の折曲部１６ｂは、頂点Ｐ１に対応する部分が図６に示す折曲部２０ｃと同様な尖った屈曲形状となる。その結果、ディスプレイ１６は、設計時の曲率反半径よりも小さい曲率半径で折曲動作し、不具合を生じる懸念がある。但し、このシート３３Ａは、軽量であるという利点がある。
【００３８】
一方、図７に示すように、シート状部材２０が、孔部３２ａを無くした以外は第１シート３２と同一のある程度の厚みを持ったシート３２Ａのみで構成されている場合を考える。この場合、シート３２Ａの折曲部２０ｃは、頂点Ｐ２の曲率半径がディスプレイ１６の設計時の曲率半径と同程度となり、均等な湾曲形状となる。ある程度厚みのあるシート３２Ａは、断面係数が高く且つある程度の反力を有するため、折り曲げた際、シート３３Ａのような屈曲形状とならず、図７に示すような均等な円弧を描くことができるためである。このため、ディスプレイ１６の折曲部１６ｂは、頂点Ｐ２に対応する部分が設計時の所望の曲率半径となり、繰り返しの折曲動作によっても不具合を生じ難くなる。但し、このシート３２Ａは、図６に示すシート３３Ａよりも重量が大きい。また、シート３２Ａは、折曲時の反力が大きいことから、折り曲げに要する力が大きく、筐体部材１２Ａ，１２Ｂの開閉動作に大きな力が必要となる懸念もある。
【００３９】
そこで、本実施形態のシート状部材２０は、図７に示すシート３２Ａと同様にある程度の厚みを持った第１シート３２で第１層部３０を構成し、図６に示すシート３３Ａと同様に薄い第２シート３３で第２層部３１を構成している。そして、第１シート３２には、複数の孔部３２ａを少なくとも折曲部２０ｃに対応する部分に形成している。これにより、シート状部材２０は、先ず、厚い第１シート３２の作用により、図５Ｂに示すように、均等な湾曲形状の折曲部２０ｃを得ることができ、ディスプレイ１６の折曲部１６ｂの曲率半径を設計仕様と同様に確保することができる。その際、第１シート３２は、複数の孔部３２ａを有することで、重量の増加と、折り曲げに要する力をある程度低減できている。
【００４０】
また、ペンノイズのシールドとして１．８ＭＨｚの放射磁界を遮断する必要があるが、第１シート３２は孔部３２ａが形成されているために、第１シート３２単体では放射磁界ノイズをシールドするための渦電流が孔部３２ａの周辺で流れないためにシールド効果が低い。効果的な放射磁界シールドとしては、穴のない導電シートの追加が必要である。そこで、シート状部材２０は、第１シート３２を、薄くて、少なくともタッチパネル２１のタッチ操作面及びその配線領域２１ａと重なる位置に孔部のない第２シート３３で覆っている。これにより第２層部３１は、第１層部３０を通過する電磁ノイズをシールドするノイズシールド層として機能する。このため、シート状部材２０の下方に収納された半導体チップやバッテリ装置等からの電磁ノイズが、孔部３２ａを通してディスプレイ１６のタッチパネル２１に影響することを抑制できる。その結果、タッチパネル２１は、ペン入力装置２２や指先によるタッチ操作が電磁ノイズで妨害されることがなく、円滑なタッチ操作が可能となる。特に、本実施形態では、第２シート３３がステンレスシートで構成されているため、渦電流の発生による熱損失による高いノイズシールド効果が得られる。勿論、第２シート３３は、ステンレスシートよりも電気抵抗値が低いアルミニウムシート等で構成されてもよい。この場合、第２シート３３は、アルミニウムによる磁界の反射による高いノイズシールド効果が得られる。
【００４１】
以上のように、本実施形態の携帯用情報機器１０では、ディスプレイ１６の裏面１６ａに固定されるシート状部材２０が、第１層部３０と第２層部３１とを有する。そして、第１層部３０は、複数の孔部３２ａを有する。第２層部３１は、第１層部３０よりも薄い導体で構成され、第１層部３０の孔部３２ａを閉塞している。
【００４２】
従って、当該携帯用情報機器１０では、ある程度の厚みを持った第１層部３０により、ディスプレイ１６の折曲部１６ｂを設計時の所望の曲率半径で折曲動作させることができる。この際、第１層部３０は、複数の孔部３２ａを有するため、折曲動作に要する外力が過度に大きくなることがなく、また、重量の増加も抑制できる。しかも、当該携帯用情報機器１０では、薄い導体で形成された第２層部３１が第１層部３０の孔部３２ａの一方の開口を塞いでいる。このため、筐体内部に収容された電子部品からの電磁ノイズが第１層部３０の孔部３２ａを介してディスプレイ１６のタッチパネル２１に影響することを抑制できる。
【００４３】
シート状部材２０は、第１シート３２と第２シート３３とを積層することで第１層部３０と第２層部３１とを形成している。このため、シート状部材２０は、製造が容易で、構造も簡素なものとなっている。
【００４４】
シート状部材は、１枚のシートに複数層を形成した構造としてもよい。図８は、第１変形例に係るシート状部材４０の側面断面図であり、その上下に固定されるディスプレイ１６及び支持プレート１８Ａ，１８Ｂを含めた分解図として図示している。図８に示すように、シート状部材４０は、１枚のシート４１を有し、シート４１に第１層部４２及び第２層部４３が形成されている。シート４１は、例えばステンレスシートやアルミニウムシート等の金属シートである。シート４１の板厚は、例えば１８０μｍ程度である。
【００４５】
第１層部４２は、シート４１の下面２０ｂ側に形成されている。第１層部４２の板厚は、例えば１５０μｍ程度である。第１層部４２は、下面２０ｂに開口した複数の凹部４１ａを有する。凹部４１ａの内径は、上記した孔部３２ａと同様でよく、例えば例えば０．５ｍｍ以下、好ましくは０．２ｍｍ又は０．３ｍｍである。凹部４１ａは、下面２０ｂの全域に凹部４１ａが形成された構成であるが、凹部４１ａは、少なくとも折曲部２０ｃに設けられていればよい。第２層部４３は、シート４１の上面２０ａ側に形成されている。第２層部４３板厚は、第１層部４２の板厚よりも小さく、例えば３０μｍ程度である。シート状部材４０は、例えばシート４１にエッチング加工を施すことで、下面２０ｂ側に複数の凹部４１ａを形成したものである。
【００４６】
従って、このようなシート状部材４０では、実質的に第１層部４２を板厚方向に貫通した孔部の一方の開口が第２層部４３で塞がれた構造であり、これにより第１層部４２には凹部４１ａが形成されている。このため、シート状部材４０においても、第１層部４２及び第２層部４３を有することで、ディスプレイ１６の折曲部１６ｂの形状を適正に保持しつつ、筐体内部に収容された電子部品からの電磁ノイズがタッチパネル２１に影響することを抑制できる。しかも当該シート状部材４０は、１枚のシート４１で構成できるため、製造が一層容易であり、部品点数も削減できる。
【００４７】
図９は、第２変形例に係るシート状部材５０の側面断面図であり、その上下に固定されるディスプレイ１６及び支持プレート１８Ａ，１８Ｂを含めた分解図として図示している。図９に示すように、シート状部材５０は、１枚のシート５１を有し、シート５１に第１層部５２、第２層部５３及び第３層部５４が形成されている。シート５１は、例えばステンレスシート、アルミニウムシート又は銅シート等の金属シートである。シート５１の板厚は、例えば１８０μｍ程度である。
【００４８】
第１層部５２は、シート５１の下面２０ｂ側に形成されている。第１層部５２の板厚は、例えば７５μｍ程度である。第１層部５２は、下面２０ｂに開口した複数の凹部５２ａを有する。凹部５２ａの内径は、上記した孔部３２ａと同様でよく、例えば例えば０．１〜０．５ｍｍ程度、好ましくは０．２ｍｍ又は０．３ｍｍである。第３層部５４は、シート５１の上面２０ａ側に形成されている。第３層部５４の板厚は、例えば７５μｍ程度である。第３層部５４は、上面２０ａに開口した複数の凹部５４ａを有する。凹部５４ａの内径は、上記した孔部３２ａと同様でよく、例えば例えば０．５ｍｍ以下、好ましくは０．２ｍｍ又は０．３ｍｍである。第２層部５３は、第１層部５２と第３層部５４との間に形成されている。第２層部５３板厚は、第１層部５２や第３層部５４の板厚よりも小さく、例えば３０μｍ程度である。シート状部材５０は、例えばシート５１にエッチング加工を施すことで、下面２０ｂ側に複数の凹部５２ａを形成し、上面２０ａ側に複数の凹部５４ａを形成したものである。
【００４９】
従って、このようなシート状部材５０では、実質的に第１層部５２を板厚方向に貫通した孔部の一方の開口が第２層部５３で塞がれた構造であり、これにより第１層部５２に凹部５２ａが形成されている。さらにシート状部材５０は、複数の凹部５４ａを持った第３層部５４を有することで、第３層部５４と第１層部５２とが上記したシート状部材２０，４０の第１層部３０，４２と同様な効果を発揮する。このため、シート状部材５０においても、第１層部５２、第２層部５３及び第３層部５４を有することで、ディスプレイ１６の折曲部１６ｂの形状を適正に保持しつつ、筐体内部に収容された電子部品からの電磁ノイズがタッチパネル２１に影響することを抑制できる。
【００５０】
なお、本発明は、上記した実施形態に限定されるものではなく、本発明の主旨を逸脱しない範囲で自由に変更できることは勿論である。
【００５１】
上記では、ディスプレイ１６及びこれに貼り付けたシート状部材２０等を、支持プレート１８Ａ，１８Ｂを介して筐体部材１２Ａ，１２Ｂに取り付けた構成を例示した。しかしながら、支持プレート１８Ａ，１８Ｂは、省略してもよい。この場合、シート状部材２０等は、例えば筐体部材１２Ａ，１２Ｂの内面１２Ａｃ，１２Ｂｃに突設されたボス状部材や支柱部材等によって支持されればよい。
【００５２】
上記では、第１層部３０を構成する第１シート３２を金属シートで形成した構成のシート状部材２０を例示した。しかしながら、シート状部材２０は、導体である第２層部３１でノイズシールドは可能であるため、第１シート３２は、例えばポリイミド等の樹脂シートで形成されてもよい。
【００５３】
上記では、本のように二つ折りに折り畳み可能な携帯用情報機器１０を例示したが、本発明は、同形の筐体部材同士を二つ折りに折り畳む構成以外、例えば大形の筐体部材の左右縁部にそれぞれ小形の筐体部材を折り畳み可能に連結した観音開きの構成、１つの筐体部材の左右縁部にそれぞれ折り畳み方向の異なる筐体部材を連結したＳ型の折り畳み構成、大形の筐体部材の左右一方の縁部に小形の筐体部材を折り畳み可能に連結したＪ型の折り畳み構成等、各種構成に適用可能であり、筐体部材の連結数は４以上としてもよい。
【符号の説明】
【００５４】
１０  携帯用情報機器
１２Ａ  第１筐体部材
１２Ｂ  第２筐体部材
１６  ディスプレイ
２０，４０，５０  シート状部材
２１  タッチパネル
２１ａ  配線領域
３０，４２，５２  第１層部
３１，４３，５３  第２層部
３２  第１シート
３２ａ  孔部
３２Ａ，３３Ａ，４１，５１  シート
３３  第２シート
４１ａ，５２ａ，５４ａ  凹部
５４  第３層部
【図１】
2020201698.tif 000003
【図２】
2020201698.tif 000004
【図３】
2020201698.tif 000005
【図４】
2020201698.tif 000006
【図５Ａ】
2020201698.tif 000007
【図５Ｂ】
2020201698.tif 000008
【図６】
2020201698.tif 000009
【図７】
2020201698.tif 000010
【図８】
2020201698.tif 000011
【図９】
2020201698.tif 000012
【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
携帯用情報機器であって、
第１筐体部材と、
前記第１筐体部材と折り畳み可能に連結された第２筐体部材と、
前記第１筐体部材と前記第２筐体部材の内面間に亘るように設けられ、折り畳み可能且つタッチパネルが積層されたディスプレイと、
前記ディスプレイの裏面に固定されたシート状部材と、
を備え、
前記シート状部材は、
少なくとも前記ディスプレイの折曲部と重なる部分に複数の孔部が形成された第１層部と、
前記第１層部の全面を覆い、前記第１層部よりも薄い導体で形成され、少なくとも前記タッチパネルの配線領域と重なる位置に孔部のない第２層部と、
を有することを特徴とする携帯用情報機器。
【請求項２】
請求項１に記載の携帯用情報機器であって、
前記複数の前記孔部は前記第１層部全体に形成されていることを特徴とする携帯用情報機器。
【請求項３】
請求項１又は２に記載の携帯用情報機器であって、
前記シート状部材は、前記第２層部の上面が前記ディスプレイの裏面に固定され、前記第２層部の下面側に前記第１層部が配置されていることを特徴とする携帯用情報機器。
【請求項４】
請求項１〜３のいずれか１項に記載の携帯用情報機器であって、
前記孔部の内径は、０．５ｍｍ以下であることを特徴とする携帯用情報機器。
【請求項５】
請求項１〜４のいずれか１項に記載の携帯用情報機器であって、
前記シート状部材は、前記第１層部を形成する第１シートと、前記第２層部を形成する第２シートと、を積層した構成であることを特徴とする携帯用情報機器。
【請求項６】
請求項５に記載の携帯用情報機器であって、
前記第１シートは、ステンレスシート又はアルミニウムシートであり、
前記第２シートは、ステンレスシート、アルミニウムシート、銅シート又はカーボンシートであることを特徴とする携帯用情報機器。
【請求項７】
請求項１〜４のいずれか１項に記載の携帯用情報機器であって、
前記シート状部材は、１枚のシートで構成されており、
前記シートは、一面に複数の凹部が形成されることで前記第１層部が形成され、前記一面の裏側の他面が前記第２層部を構成していることを特徴とする携帯用情報機器。
【請求項８】
ディスプレイアセンブリであって、
折り畳み可能且つタッチパネルが積層されたディスプレイと、
前記ディスプレイの裏面に固定されたシート状部材と、
を備え、
前記シート状部材は、
少なくとも前記ディスプレイの折曲部と重なる部分に複数の孔部が形成された第１層部と、
前記第１層部の全面を覆い、前記第１層部よりも薄い導体で形成され、少なくとも前記タッチパネルの配線領域と重なる位置に孔部のない第２層部と、
を有することを特徴とするディスプレイアセンブリ。
【請求項９】
請求項８に記載のディスプレイアセンブリであって、
前記複数の前記孔部は前記第１層部全体に形成されていることを特徴とするディスプレイアセンブリ。
【請求項１０】
請求項８又は９に記載のディスプレイアセンブリであって、
前記シート状部材は、前記第２層部の上面が前記ディスプレイの裏面に固定され、前記第２層部の下面側に前記第１層部が配置されていることを特徴とするディスプレイアセンブリ。
【手続補正３】
【補正対象書類名】明細書
【補正対象項目名】０００１
【補正方法】変更
【補正の内容】
【０００１】
本発明は、折り畳み可能な携帯用情報機器及びディスプレイアセンブリに関する。
【手続補正４】
【補正対象書類名】明細書
【補正対象項目名】０００５
【補正方法】変更
【補正の内容】
【０００５】
本発明は、上記従来技術の課題を考慮してなされたものであり、ディスプレイの円滑な折曲動作を確保しつつ、ノイズシールド構造を備えることができる携帯用情報機器及びディスプレイアセンブリを提供することを目的とする。